(57)【特許請求の範囲】
【請求項１】
製氷機能および冷水製造機能を有する製氷機と、氷を貯える氷槽と、冷水を貯える水槽と、前記製氷機で作られる氷及び冷水から氷と冷水とに分離する分離部を有し、該分離部で分離された氷を前記氷槽へ移送し、前記分離部で分離された冷水を前記水槽へ移送するダクトとを備えた蓄熱システムを用いて、昼間における製氷機の冷水製造運転によって製造された冷水を水槽に貯え、該水槽に蓄えられた冷水を空調機へ循環させて行う第1の空気調和の制御と、夜間における製氷機の製氷運転によって製造された氷を氷槽に貯え、昼間において該氷槽に貯えられた氷を解氷して得られる冷水を空調機へ循環させて行う第２の空気調和機の製氷運転によって製造された氷を氷槽に貯え、昼間において該氷槽に貯えられた氷を解氷して得られる冷水を空調機へ循環させて行う第２の空気調和の制御とを、独立に行えるように構成したことを特徴とする空調システム。
【請求項２】
製氷機能および冷水製造機能を有する製氷機と、氷を貯える氷槽と、冷水を貯える水槽と、前記製氷機で作られる氷および冷水から氷と冷水とに分離する分離部と該分離部で分離された氷については前記氷槽へ移送する氷用ダクト部と前記分離部で分離された冷水を前記水槽へ移送する水用ダクト部とを有するダクトとを備えた蓄熱システムを用いて、昼間における製氷機の冷水製造運転によって製造された冷水を水槽に貯え、該水槽に蓄えられた冷水を空調機へ循環させて行う第1の空気調和の制御と、夜間における製氷機の製氷運転によって製造された氷を氷槽に貯え、昼間において該氷槽に貯えられた氷を解氷して得られる冷水を空調機へ循環させて行う第２の空気調和機の製氷運転によって製造された氷を氷槽に貯え、昼間において該氷槽に貯えられた氷を解氷して得られる冷水を空調機へ循環させて行う第２の空気調和の制御とを、独立に行えるように構成したことを特徴とする空調システム。
【請求項３】
前記ダクトにおいて、分離部を氷用ダクト部の流路の少なくとも一部分に設けたことを特徴とする請求項２記載の空調システム。
【請求項４】
前記ダクトにおいて、分離部で氷用ダクト部と水用ダクト部とを分岐して構成したことを特徴とする請求項２または３記載の空調システム。
【請求項５】
前記ダクトにおいて、氷用ダクト部と水用ダクト部とを並べて一体的に形成したことを特徴とする請求項２、３または４記載の空調システム。
【請求項６】
前記水用ダクト部には、分離部からの冷水を受ける水受けと、冷水を該水受から水槽に導入する搬送パイプとを設けたことを特徴とする請求項２、３、４、又は５記載の空調システム。
【請求項７】
前記第1及び第２の空気調和の制御において、空調機から得られる水を、氷槽、水槽及び製氷機のいずれか一つ若しくは二つ若しくは三つに戻すように構成したことを特徴とする請求項１ないし６のいずれか１項に記載の空調システム。
【発明の詳細な説明】
【０００１】
【発明の属する技術分野】
本発明は、蓄熱システム及び空調システムに係り、製氷機により氷を作ってそれを製氷面からはぎとりながら水槽に投げ込んで蓄熱するダイナミック型の氷蓄熱システム及び該氷蓄熱システムを用いた空調システムに関する。
【０００２】
【従来の技術】
本発明に関連ある公知例としては、例えば特開平４−４５３３６号公報記載の技術がある。図１１を参照して、従来の技術における蓄熱システムを説明する。図１１は、従来の技術における蓄熱システムの基本構成図である。図示の如く、蓄熱システムは、氷５を製氷機１の製氷板２から適宜はぎとりながら、水槽１７に投入して蓄熱するダイナミック型氷蓄熱システムである。
【０００３】
製氷機１は、製氷板２と水４を収納する受け皿３とから構成されている。この製氷機１には、氷５を搬送するダクト６が付いている。水槽１７の上面は、床３０で覆われ、該床３０に設けた開口穴３０ａに前記ダクト６が挿入されている。
【０００４】
また、水槽１７には、該水槽１７内の水４をファンコイルユニット２２の熱交換器２３に送水するための、パイプ２０と、該パイプ２０に接続されるポンプ１９と、該ポンプ１９に接続され、前記熱交換器２３の入口と接続される配管２１とが設けられている。さらに、前記熱交換器２３の出口には、該出口と接続される配管２４と、該配管２４に水量調整用のバルブ２７を介して接続され、前記水槽１７に挿入されている配管２５とが設けられている。
【０００５】
上記構成の蓄熱システムの動作を説明する。
氷蓄熱操作時は、水槽１７内の水４がポンプ１４により配管１５を介して受皿３に供給され、前記水４が受皿３から製氷板２に散水され、散水された水４が製氷板２上で製氷され、該製氷板２上から剥ぎ取られた氷（氷粒子という）５はダクト６により前記水槽１７に投入され、前記水４と氷粒子５が一緒に水槽１７内に貯蔵される。このような氷蓄熱操作は、割安な深夜電力を利用して夜間に行なわれる。
【０００６】
冷房操作時は、冷水４が、ポンプ１９を駆動することにより、配管２０から吸い込まれ、配管２１を介して熱交換器２３に導入されて冷熱を放熱し、その後パイプ２４、バルブ２７、パイプ２５を介して水槽１７に戻される。この時の流水量は、ポンプ１９の回転数と、バルブ２７の開度を変えて制御される。
【０００７】
冷房操作は、昼間の電力需要の大きい時間帯に、水槽１７に貯えられた氷粒子５を解氷して、この冷熱を前記水槽１７の２次側に設けたファンコイルユニット２２に送水して行なわれる。
【０００８】
【発明が解決しようとする課題】
電力需要のピークは、昼間の１２．００〜１６．００時の間に存在し、この時間帯に夜間電力を用いて作った氷を解氷してその冷熱を空調に利用し、空調用の冷凍機及び製氷機は停止することが望まれている。すなわち、この時間帯までは水槽１７内の氷粒子５は解氷しないのがよい。しかし、図１１に示す水４と氷粒子５とを貯蔵する水槽１７と製氷機１から成るシステムでは、午前中（例えば８．００〜１２．００時）の時間帯に前記氷粒子５を解氷しないようにして、製氷機１の冷水製造運転による冷水（約５℃以下）がポンプ１９を介してファンコイルユニット２２に輸送して空調することはできない。
【０００９】
夜間の製氷運転時では、製氷機１内の冷媒の蒸発温度を−７℃〜−１０℃程度にして氷５を作る運転に設定するのに対して、昼間の冷水製造運転時では、冷媒の蒸発温度を＋２℃程度にしてポンプ１４（図１１参照）を駆動してパイプ１５を介して製氷板２の上部に設けた受皿３に水槽１７内の水４を供給し、受皿３から製氷板２に散水して、該散水した水４を＋５℃〜＋７℃の冷水に変えて水槽１７に送る操作をする。
【００１０】
上記のような操作が行なわれる理由は、製氷機１の蒸発温度を上げて冷凍機（図示せず）の成績係数の高い運転を行ない、昼間における割引率の少ない電力消費量をできるだけ少なくするためである。しかしながら、図１１のシステムにおいては、午前中に冷水製造運転を行なうと、＋５℃〜＋７℃の冷水が氷粒子５の周りに流入するため、氷粒子５が解け出してしまうことになり、１２．００〜１６．００のピークカット時間帯まで十分な氷粒子５を貯蔵できないという問題点がある。
【００１１】
図１２を参照して、空調運転時の熱負荷の時刻変化を説明する。図１２は、深堀り式ピークカット運転における時刻−負荷曲線説明図である。これは、いわゆる深堀り式ピークカット運転といわれ、電力ピーク時に集中して冷凍機の停止量を多くするものである。熱負荷をＱとすると、昼間の１２．００〜１６．００までの間に前記熱負荷Ｑのピークが存在するが、この時間帯には冷凍機を停止し（図示の斜線ハッチ部分）、その代りとして夜間に水槽１７に貯蔵した氷粒子５を解氷して、この冷熱（図示の点ハッチ部分）をファンコイルユニット２２に送って冷房する。昼間の１２．００〜１６．００までは、電力料金の割引率が極めて大きく、この深堀り式ピークカット運転は有効である。しかし、図１１の構成においては、８．００〜１２．００において氷粒子５が解氷するので、１２．００〜１６．００の間に用いる冷熱が少なくなり、ピークカット量は不十分となり、この斜線ハッチ部に示すような深掘り式ピークカット運転は完全にできない。
【００１２】
図１２に示す運転法は、１２．００〜１６．００まで空調負荷を完全に停止する深掘り式の運転であるが、図１３は、図１２の深掘り式ピークカット運転に、スライス部運転を加えた時刻−負荷曲線説明図である。これは、深掘り式ピークカット運転に、スライス部運転を付加し、電力ピークをさらに低くし、契約電力を下げて割引料をさらに多くする運転方式である。この場合には、１２．００〜１６．００までの間に用いる深掘り式のピークカット運転量以外にスライス部分の電力量が必要となる。このため、夜間に水槽１７に貯蔵した氷粒子５を解氷することになる冷熱量（図示の点ハッチ部分）が、図１２の深掘り式ピークカット運転の場合より多くなる。図１１のシステムでは、図１３のスライス部付加運転も勿論十分に行なえない。
【００１３】
【課題を解決するための手段】
上記課題を解決するために、本発明に係る空調システムは、製氷機能および冷水製造機能を有する製氷機と、氷を貯える氷槽と、冷水を貯える水槽と、前記製氷機で作られる氷及び冷水から氷と冷水とに分離する分離部を有し、該分離部で分離された氷を前記氷槽へ移送し、前記分離部で分離された冷水を前記水槽へ移送するダクトとを備えた蓄熱システムを用いて、昼間における製氷機の冷水製造運転によって製造された冷水を水槽に貯え、該水槽に蓄えられた冷水を空調機へ循環させて行う第1の空気調和の制御と、夜間における製氷機の製氷運転によって製造された氷を氷槽に貯え、昼間において該氷槽に貯えられた氷を解氷して得られる冷水を空調機へ循環させて行う第２の空気調和機の製氷運転によって製造された氷を氷槽に貯え、昼間において該氷槽に貯えられた氷を解氷して得られる冷水を空調機へ循環させて行う第２の空気調和の制御とを、独立に行えるように構成したものであり、移送ダクトは氷用と水用に分かれていてもよいものである。
【００１４】
【発明の実施の形態】
図１乃至図１０を参照して、本発明に係る蓄熱システムの実施形態を説明する。
〔実施の形態  １〕
図１は、本発明に係る蓄熱システムの一実施形態の構成図である。本発明の一実施形態における蓄熱システムは、製氷機能以外に冷水製造機能を有する製氷機１と、前記製氷時に製氷機１で作られた氷粒子５と前記冷水製造時に製造された冷水４とを別々の流路で搬送できるようにした搬送部（ダクト）１０と、該搬送部（ダクト）１０で搬送された前記氷粒子５を蓄える氷槽１６及び前記冷水４を蓄える水槽１７と、該水槽１７に蓄えられている冷水４をポンプ１９により供給されて、前記冷水４の持つ冷熱を放熱して冷房するファンコイルユニット２２と、前記氷槽１６と前記製氷機１の入口とを接続し、且つポンプ１４が配設されている配管１５及び前記水槽１７に接続される配管２０と、該配管２０にポンプ１９を介して接続されると共に、前記ファンコイルユニット２２の入口に接続される配管２１と、前記ファンコイルユニット２２の出口に接続される配管２４と、該配管２４にバルブ２７を介して接続され、且つ前記水槽１７に挿入される配管２５と、前記配管２４にバルブ２８を介して分岐、且つ接続され、前記氷槽１６に挿入される配管２６とから構成されている。
【００１５】
製氷機１は、水４を収納する受皿３と複数枚の製氷板２を筐体１ａ内に設けて構成される。氷槽１６からポンプ１４によりパイプ１５を介して供給される水４を収納する受皿３は、該受皿３の下部には多数の小穴（図示せず）が設けられ、該小穴より冷水４が落下して散水される表面を有する製氷板２とが内設されている。この受皿３は網や格子で作っても差し支えない。前記製氷板２は複数枚設けられ、前記冷水４がこの複数枚の製氷板２全体に一様な流下液膜流となって流れ落ちるようになっている。
【００１６】
前記氷槽１６及び水槽１７は、一体的に構成されており、その上面が連続した床３０で覆われており、前記氷槽１６と水槽１７との内部は仕切壁３１で区切られている。前記氷槽１６の床３０上には搬送部１０を挿入する開口穴３０ａが設けられており、仕切壁３１には前記氷槽１６と水槽１７とを連通する連通穴３１−ａが設けられている。
【００１７】
搬送部１０を、図１及び図２を参照して説明する。図２は、図１の蓄熱システムにおける搬送部のＡ−Ａ′断面図である。
前記搬送部１０は、製氷機１の筐体１ａの一面に設けられた開口面部に接続されており、該開口面部との接続部の反対側は、氷槽１６の床３０上に穿設されている開口穴３０ａに挿入されている。前記搬送部１０は、その断面を上側ダクト板６−ｄ及び左側板６−ｂ，右側板６−ａ並びに下側ダクト板６−ｅの４枚の板で矩形状を形成し、中板６−ｃにより区切られる上側ダクト空間７を有する上側ダクト部６と、下側ダクト空間９を有する下側ダクト部６とからなっている。
【００１８】
前記中板６−ｃには、前記氷粒子５と冷水４とを分離すると共に、該冷水４を前記下側ダクト空間９に流下させる目皿部（分離部）１１が設けられている。なお、図２で説明した搬送部１０の断面は、矩形状となっているが、図３に示すように、上側ダクト部６と下側ダクト部８とからなる丸状形状の断面を有するものであっても差し支えない。図３は、図２の搬送部における変形例の断面図である。
【００１９】
下側ダクト空間９の下方は、該下側ダクト空間９を開放・閉塞するダンパー１３と、目皿部１１（分離部）より流下してきた冷水４を受ける水受１２と、該水受１２から水槽１７へ前記流下してきた冷水４を流す搬送パイプ１８が延設されている。該搬送パイプ１８は、氷槽１６と水槽１７との間に設けられた仕切壁３１の挿通穴３１−ａに挿入され、搬送部１０と前記水槽１７とを連通させている。前記挿通穴３１−ａは、その径を前記搬送パイプ１８の径から大きくしてあり、前記氷槽１６と水槽１７との間の水位に差が生じた場合には、前記挿通穴３１−ａを通じて冷水４が移動するようになっている。
【００２０】
ファンコイルユニット２２は、その内部に冷熱を放熱し、空気と熱交換して冷風をつくる熱交換器２３を有している。該熱交換器２３の給水系は、水槽１７の水４を送水するための、該水槽１７に接続される送水用のパイプ２０と、該パイプ２０に接続される送水用のポンプ１９と、該ポンプ１９の出口に接続され、且つ当該熱交換器２３の給水入口と接続されるパイプ２１とから構成される。この給水系により、前記熱交換器２３に水槽１７の冷水４が給水される。
【００２１】
前記熱交換器２３の排水系は、前記空気と熱交換後によって暖められた冷水４を排水するための、前記熱交換器２４の出口に接続されるパイプ２４と、該パイプ２４と接続されるバルブ２７及び２８と、該バルブ２７及び２８にそれぞれ接続され、且つ氷槽１６及び水槽１７にそれぞれ挿入されるパイプ２６，２５とからなっている。この給水系により、暖められた冷水４がそれぞれ氷槽１６及び水槽１７に戻されるようになっている。
【００２２】
次に、蓄熱システムの動作を説明する。
製氷板２内には別置の冷凍機（図示せず）より低温度の冷媒が流され、製氷板２の温度は、−５℃〜−１０℃の範囲に低下する。このため、製氷板２の表面に流れる冷水４は、除々に低温度になり、該冷水４の表面は氷結するようになる。適当な厚さに氷結したならば、前記冷凍機より低温冷媒の供給をバルブ（図示せず）が閉じることにより停止する。
【００２３】
一方、冷凍機の凝縮器の高温冷媒側バルブ（いずれも図示せず）を開けて、高温蒸気を製氷板２内に供給する。これによって、製氷板２の表面は、＋１〜＋２℃に上昇し、その表面に付いている氷５は下方部に落下する。落下すると同時に氷５は、破砕され、適当な大きさの氷粒子５になる。この氷粒子５は搬送部１０の上側ダクト部６内を通って下方部に移動し、流水と共に、氷槽１６内に落下する。このような蓄熱操作は、割安な深夜電力を利用できる夜間に行なわれる。
【００２４】
この夜間の蓄熱操作時には、下側ダクト空間９に設けてあるダンパー１３は、閉塞されている。そのため、前記下側ダクト空間９が解氷して流水となった冷水４で一杯となるので流れない。前記氷粒子５が、前記流水と共に、搬送部１０の中板６−ｃの上部を流下し、さらに、目皿部１１の上部を滑って氷槽１６内に落下する。このような操作により、夜間には前記氷槽１６内に所望量の氷粒子５が貯えられる。
【００２５】
図４を参照して、昼間の放熱操作の状態を説明する。図４は、図１の蓄熱システムにおける冷水運転時の構成図である。図４において、昼間の放熱操作のうち、８．００〜１２．００までは冷水製造運転を行ない、１２．００〜１６．００までのピークカットによる割引料が大きい時間帯は、氷槽１６内の氷粒子５を解氷して運転し、１６．００時以後は再び冷水製造運転で行なうのが得策である。このため、少なくとも８．００〜１２．００までは製氷機１の蒸発温度を、＋２℃程度に上げて成績係数の高い運転をして＋５℃〜＋７℃の冷水４の製造運転をする。
【００２６】
この昼間の放熱操作時には、下側ダクト空間９に設けてあるダンパー１３を開放し、暖められた冷水４を戻すパイプ２４と接続されるバルブ２８が閉じられ、該バルブ２８に接続され、氷槽１６に挿入されるパイプ２６には、前記暖められた冷水４が流れないようになっている。この製造された冷水４は、ダクト６の上側ダクト空間７−目皿部１１−下側空間９−開放されているダンパー１３−水受１２−パイプ１８を通り、水槽１７に導入される。したがって、氷粒子５に影響がなく、融かさないようにできる。水槽１７内の冷水４は、ポンプ１９を駆動することにより、パイプ２０−パイプ２１を経てファンコイルユニット２２の熱交換器２３に導入され、その後、熱交換器２３の出口からパイプ２４−バルブ２７−パイプ２５を介して水槽１７内に戻され、冷水４が循環される。
【００２７】
パイプ２５から戻る暖められた冷水４は、氷槽１６と水槽１７とが仕切壁３１によって仕切ってあるので、前記氷槽１６内に入らず、したがって、氷槽１６内の氷粒子５は融けない。しかし、前記水４は、氷槽１６と水槽１７との水面に差が生じた場合には仕切壁３1に設けた挿通穴３１−ａを通じて移動するので、氷槽１６の氷粒子５の一部は融ける場合もあるが、それはわずかである。
【００２８】
一方、電力ピークの１２．００〜１６．００時の間は、パイプ２５に接続されているバルブ２７は閉じ、パイプ２６に接続されているバルブ２８を開き、暖められて戻る冷水４を、パイプ２４−バルブ２８−パイプ２６から氷槽１６に戻して、氷粒子５が融かされる。該氷粒子５を融かした冷水４は、挿通穴３１−aを通り、水槽17を経て、配管２０−ポンプ１９−配管２１を経てファンコイルユニット２２の熱交換器２３内に供給される。１６．００時以後は前述した８．００〜１２．００の運転法に戻す。これにより、図１２に示すようなピークカット運転ができる。
【００２９】
さらに、図１３のスライス部を付加したスライス運転をピークカット運転に加える場合には、夜間にスライス運転の分だけ、氷粒子５を多く製造しておき、８．００〜１２．００時と１６．００時以後の所定期間まではバルブ２７及びバルブ２８の両方を開き、この時間帯にも氷槽１６内の氷粒子５の一部を融解しながら空調し、一方、冷凍機の冷水製造運転も行なわれる。この場合には、氷粒子５の一部を融かすので、冷水製造運転に用いる冷凍機の運転量（台数または稼動率を抑制）を下げた運転ができる。
【００３０】
この運転をする時間帯（少なくとも８．００〜１２．００時）には、氷槽１６内の氷粒子５が全部融解してはならないので、バルブ２８の開度をバルブ２７の開度より絞っておくようにするとよい。水槽１７の大きさをある程度大きくし、冷水４による冷熱の蓄熱量を大きくしてある場合は、この冷熱を使うことにより空気調和をし、氷槽１６に冷水４を戻す配管２４と２６間に設けてあるバルブ２８を閉じ、氷粒子５を融かさない運転もできる。
【００３１】
図５を参照して、本実施形態の蓄熱システムの変形例を説明する。図５は、図４の蓄熱システムにおける変形例の構成図である。本変形例は、図４の蓄熱システムとほぼ同様の構成であるが、ファンコイルユニット２２への配管系の構成が相違する。該相違点を主として説明する。
【００３２】
図４におけるパイプ２４，２５に設けてあるバルブ２８，２７を、図５においては一体化して切換弁４２として１個で構成し、蓄熱システムを簡素化したものである。また、ファンコイルユニット２２の熱交換器２３の入口に接続されるパイプ２１と、前記熱交換器２３の出口に接続されるパイプ２４間に熱交換部４０を設けて、ファンコイルユニット２２側と水槽１７側の水系路を分離したものである。前記熱交換部４０は一次側の熱交換器４０−ｂと２次側の熱交換部４０−ａとにより構成されている。このようにすると、水槽１７内の水位の変動などに伴なう流水量の変動や熱量の変動が２次側のファンコイルユニット２２に直接波及しないという利点がある。
【００３３】
上記構成の蓄熱システムの動作を説明する。
ポンプ１９を駆動することにより、水槽１７内の冷水４は、パイプ２０，２１を介して熱交換器４０−ｂを通ってパイプ２４より切換弁４２を介してパイプ２５またはパイプ２６内を流れる。一方、二次側のファンコイルユニット２２の熱交換器２３に設けてあるパイプ２１−ａには新たにポンプ４１を設け、このポンプ４１を駆動してパイプ内の水４を熱交換器４０−ａよりパイプ２１−ａを通して熱交換器２３に導入し、その後パイプ２４−ａ，熱交換器４０−ａに導入をくり返し、冷水４を循環して冷房に供するものである。
【００３４】
図６を参照して、本実施形態の他の変形例を説明する。図６は、図４の蓄熱システムにおける他の変形例の構成図である。本変形例は、図４の蓄熱システムとほぼ同様の構成であるが、ポンプ１４，パイプ１５を省略し、ポンプ１９を昼間以外に夜間も利用できるように構成した点が相違する。この相違点の構成を説明する。
【００３５】
図６に示す如く、ファンコイルユニット２２の熱交換器２３の出口に接続されているパイプ２４に分岐してパイプ３２を設け、該分岐側と反対側の他端を製氷機１の受皿３に接続すると共に、該パイプ３２にはバルブ２９が設けてある。
【００３６】
上記構成の蓄熱システムにおける動作の相違点を主として説明する。
図示する如く、夜間の製氷運転時にはポンプ１９を駆動してパイプ２０−パイプ２１−熱交換器２３−パイプ２４−バルブ２９−パイプ３２を介して水槽１７内の冷水４を受皿３内に送り、この受皿３より製氷板２１に散水して製氷し、氷粒子５と冷水４とを上側ダクト空間７を通して氷槽１６内に移送する。このためには、バルブ２７とバルブ２８と下側ダクト空間９のダンパー１３は、閉じた状態にし、バルブ２９を開いた状態にする。
【００３７】
図７を参照して、図６の蓄熱システムにおける昼間の冷水製造運転による空調動作を説明する。図７は、図６の蓄熱システムにおける冷水製造運転時の空調動作説明図である。昼間の冷水製造運転時には、下側ダクト空間９のダンパー１３は開き、夜間の製氷運転時と同様にバルブ２７，２８は閉じ、バルブ２９を開いた状態にする。水槽１７内の冷水４は、パイプ２０−ポンプ１９−パイプ２１−熱交換器２３−パイプ２４−バルブ２９−パイプ３２を通り、受皿３から製氷板２を流下し、上側ダクト部６の中板６−ｃと目皿部１１を通って水受１２−パイプ１８を通って水槽１７に戻るサイクルを繰り返えさせる。
【００３８】
このようにして、製氷機１で製造した冷水４は、ポンプ１９を通ってファンコイルユニット２２の熱交換器２３に送られ、冷房が行なわれることになる。氷槽１６内の氷粒子５を融かして昼間冷房を行ないたい時は、バルブ２９が閉じられ、バルブ２８が開かれ、水槽１７内の水がポンプ１９−熱交換器２３−バルブ２８を通り、氷槽１６部へ戻せばよい。水槽１７内の冷水４の保有する冷熱４のみを利用する場合（たとえば４月，５月等の端境期）には、バルブ２８，２９を閉じて、バルブ２７のみ開き、ポンプ１９を駆動して、水槽１７内の冷水４を熱交換器２３へ送って、パイプ２４−バルブ２７−パイプ２５を通して水槽１７内へ戻せばよい。なお、図６、図７に示すポンプ１９一式で製氷運転、冷水製造運転を行なう場合には、仕切壁３１に挿通穴３１−ａが存在するので、下側ダクト空間９のダンパー１３は、必ずしも必要としない。
【００３９】
図８を参照して、図１の蓄熱システムの変形例を説明する。図８は、図１の蓄熱システムにおけるさらに他の変形例の構成図である。本変形例は、図１あるいは図４の蓄熱システムとほぼ同様の構成であるが、製氷機１に対して、氷槽１６が前記製氷機１より離れた位置に配設され、水槽１７が前記製氷機１の近くの位置に配設されている場合である。このため、搬送部１０（ダクト）の一部を、氷用ダクト４３と水用ダクト４４に２分割し、前記氷用ダクト４３と前記水用ダクト４４との接合部に目皿部１１を設ける。また、前記水槽１７の床３０上には開口穴３０ｂ、前記氷槽１６の床３０上には開口穴３０ｃがそれぞれ穿設されており、この開口穴３０ｂ、３０ｃには、前記水用ダクト４４、氷用ダクト４３がそれぞれ挿入されている。さらに、ポンプ１９が、前記氷槽１６にバルブ４６を介して配管２０で接続されると共に、前記配管２０が分岐され、前記水槽１７にバルブ４５を介して配管２０−ａで接続されている。
【００４０】
上記構成の蓄熱システムの動作を説明する。
図示において、夜間の製氷運転時にはポンプ１４を駆動して水槽１７の冷水４をパイプ１５を介して受皿３に送り、その後、製氷板２を流下させながら製氷する。この時製氷された氷粒子５は、ダクト６を通って氷用ダクト４３より氷槽１６内に落下する。これと同時に、氷粒子５から分離した冷水４は、目皿部１１を通って水用ダクト４４を通って水槽１７へ流入し、その後、パイプ１５−ポンプ１４を介して受皿３に戻り、同じような循環をする。
【００４１】
昼間の８．００〜１２．００時の冷水製造運転には、ポンプ１４を駆動し、水槽１７内の冷水４が受皿３−製氷板２を流下し、＋２℃〜＋５℃の冷水が製造される。この冷水４をファンコイルユニット２２に設けてある熱交換器２３に供給して冷房する。冷水４が、ポンプ１９により、熱交換器２３に送水されるには、バルブ４６を閉じ、バルブ４５を開かれた状態にする。前記熱交換器２３の出口側に接続されているパイプ２４と、パイプ２５間に設けられているバルブ２７は閉じ、パイプ２４とパイプ２６間のバルブ２８は開いた状態にする。
【００４２】
このようにすると、前記水槽１７部の水４は、パイプ２０−ａを通り、パイプ２１を介して熱交換器２３に入り、その後パイプ２４−バルブ２８−パイプ２６を通って水槽１７内へ戻される。これによって、製氷機１で製造した冷水４は、仕切壁３１の開口穴３１−ａ、氷槽１６を介さずに、熱交換器２３内に輸送され、冷房に用いられる。一方、１２．００〜１６．００時のピークカット時間帯は、バルブ４５とバルブ２８が閉じられ、バルブ４６とバルブ２７を開かれた状態にする。
【００４３】
このようにすると、氷槽１６内の水は、パイプ２０−ポンプ１９−パイプ２１を通り熱交換器２３内に入り、その後、パイプ２４−バルブ２７−パイプ２５を通って氷槽１６内へ戻される。これによって氷槽１６内の氷５は融解し、その冷熱は熱交換器２３から放熱し冷房に利用される。
【００４４】
図９及び図１０を参照して氷槽１６及び水槽１７の他の変形例を説明する。本発明の実施形態は、氷槽１６及び水槽１７の配置が多少異なっていても差し支えない。図９は、図１の蓄熱システムにおける氷槽１６及び水槽１７の変形例説明図、図１０は、図１の蓄熱システムにおける氷槽１６及び水槽１７の他の変形例説明図である。図９に示すように、水槽１７の中央部の一方側に氷槽１６が存在する場合や、図１０の平面図に示すように水槽１７の中央部に独立して氷槽１６が存在する場合にも利用できる。このように構成することにより、氷槽１６及び水槽１７の据付場所は、比較的自由に選べる。
【００４５】
【発明の効果】
以上、説明したように、本発明の構成によれば、（１）午後の１２．００〜１６．００までのピークカット運転が極めて良好に実効し易くなり、（２）またこのピークカット運転にスライス運転を付加することも行ない易くなり、実用に供して便利である蓄熱システムを提供することができる。
【図面の簡単な説明】
【図１】本発明に係る蓄熱システムの一実施形態の構成図である。
【図２】図１の蓄熱システムにおける搬送部のＡ−Ａ′断面図である。
【図３】図２の搬送部における変形例の断面図である。
【図４】図１の蓄熱システムにおける冷水運転時の構成図である。
【図５】図４の蓄熱システムにおける変形例の構成図である。
【図６】図４の蓄熱システムにおける他の変形例の構成図である。
【図７】図６の蓄熱システムにおける冷水運転時の空調動作説明図である。
【図８】図１の蓄熱システムにおけるさらに他の変形例の構成図である。
【図９】図１の蓄熱システムにおける氷槽１６及び水槽１７の変形例説明図である。
【図１０】図１の蓄熱システムにおける氷槽１６及び水槽１７の他の変形例説明図である。
【図１１】従来の技術における蓄熱システムの基本構成図である。
【図１２】深堀式ピークカット運転における時刻−負荷曲線説明図である。
【図１３】図１２の深堀式ピークカット運転にスライス部運転を加えた時刻−負荷曲線説明図である。
【符号の説明】
１…製氷機、２…製氷板、３…受皿、４…冷水、５…氷、氷粒子、
６…上側ダクト部、６−ａ…右側板、６−ｂ…左側板、６−ｅ…上側板、
６―ｄ…下側板、６−ｃ…中板、７…上側ダクト空間、８…下側ダクト部、
９…下側ダクト空間、１０…搬送部（ダクト）、１１…目皿部（分離部）、
１２…水受、１３…ダンパー、１４…ポンプ、１５…パイプ、１６…氷槽、
１７…水槽、１８…搬送パイプ、１９…ポンプ、２０…パイプ、２１…パイプ、
２２…ファンコイルユニット、２３…熱交換器、２４，２５，２６…パイプ、
２７、２８…バルブ、２９…バルブ、３０…床、３１…仕切壁、３２…パイプ、
４０…熱交換器、４０−ａ…熱交換器、４０−ｂ…熱交換器、４１…ポンプ、
４２…切換弁、４３…氷用ダクト部、４４…水用ダクト部、４５，４６…バルブ
【図１】
0004629242.tif 000002
【図２】
0004629242.tif 000003
【図３】
0004629242.tif 000004
【図４】
0004629242.tif 000005
【図５】
0004629242.tif 000006
【図６】
0004629242.tif 000007
【図７】
0004629242.tif 000008
【図８】
0004629242.tif 000009
【図９】
0004629242.tif 000010
【図１０】
0004629242.tif 000011
【図１１】
0004629242.tif 000012
【図１２】
0004629242.tif 000013
【図１３】
0004629242.tif 000014